(57)【要約】【課題】室内天井への取り付け固定を簡易かつ強固とする照明装置を提供する。【解決手段】固定部において、バネ部が、台座部に組み付けられる。バネ部のバネ脚部が、化粧枠の取り付け部の所定の嵌入溝に嵌入される。また、台座部の台座脚部が、化粧枠の取り付け部の所定の部位と当接する。台座部の台座面の両端付近から延伸する押さえ板部は、灯体の回動胴を上端周から押さえる。バネ部の腕部は、化粧枠のフランジとで天井板を挟持し、照明装置を天井板に固定する。【選択図】図４
2015050171.tif 000002
【特許請求の範囲】
【請求項１】
発光素子が実装され、回動胴が環装された灯体と；
天井板の取り付け孔に嵌入される略円筒形状の一方の周端に周縁部を有し、前記回動胴が回動を可能に嵌入される回動枠と；
前記回動胴が前記回動枠に嵌入された状態で前記回動枠へ取り付けられ、前記回動枠への前記回動胴の嵌入を保持する保持部と；
前記回動枠に取り付けられ、前記周縁部とともに前記回動枠、前記保持部および前記天井板を弾性力により挟持する弾性部と；
を具備する照明装置。
【請求項２】
前記保持部は、
前記弾性部が載置される台座部と；
前記台座部に立設する立設部と；
前記立設部から前記回動枠の外周側へ延伸し、前記台座部に載置された前記弾性部を押さえる上部面と；
前記台座部から前記回動枠の内周側へ延伸し、前記回動枠へ取り付けられた際に、前記回動胴の一方の周端を押さえる押さえ部と；
前記台座部の前記回動枠の略円筒形状の周に沿った両端から前記立設部が立設する側の反対側へそれぞれ延伸し、互いに対向する面が前記回動枠の所定部位と当接する脚部と；
をさらに具備する請求項１に記載の照明装置。
【請求項３】
前記弾性部は、
前記回動枠の外周側へ延伸する腕部と；
前記腕部の前記回動枠の外周側へ延伸する先端に取り付けられ、前記先端を保護する保護部と；
をさらに具備する請求項１または２に記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）などの半導体発光素子を光源とする照明装置が用いられている。例えば、装置本体の鉛直方向および水平方向を回動する際の中心軸となる回動中心線として、光源を有する灯体を回動自在とする照明装置がある。このような照明装置は、灯体が取り付けられる略円筒状の内枠が、照明装置自体を室内天井に固定するための略円筒状の外枠に対して摺動により回動可能に取り付けられ、外枠に対する内枠の回動量が所定量に規制される。そして、このような照明装置は、外枠が有するフランジ部分と、外枠に取り付けられた弾性部材とで室内天井の板を挟み込むことにより、室内天井に取り付け固定される。
【０００３】
しかし、かかる照明装置は、室内天井への取り付け固定が不安定であり、照明装置本体の鉛直方向および水平方向を回動する際の中心軸となる回動中心線として、光源を有する灯体を回動する際に、室内天井への取り付け固定が不意に解除されてしまうことがある。
【先行技術文献】
【特許文献】
【０００４】
【特許文献１】特許第５１６９６１５号公報
【発明の概要】
【発明が解決しようとする課題】
【０００５】
本発明が解決しようとする課題は、室内天井への取り付け固定を簡易かつ強固とする照明装置を提供することである。
【課題を解決するための手段】
【０００６】
実施形態の一例にかかる照明装置は、灯体、回動枠、保持部、弾性部を具備する。灯体は、発光素子が実装され、回動胴が環装される。回動枠は、天井板の孔に嵌入される略円筒形状の一方の周端に周縁部を有し、前記回動胴が回動を可能に嵌入される。保持部は、回動胴が回動枠に嵌入された状態で回動枠へ取り付けられ、回動枠への回動胴の嵌入を保持する。弾性部は、回動枠に取り付けられ、周縁部とともに回動枠、保持部および天井板を弾性力により挟持する。
【発明の効果】
【０００７】
実施形態の一例にかかる照明装置によれば、室内天井への取り付け固定を簡易かつ強固にできる。
【図面の簡単な説明】
【０００８】
【図１】図１は、実施形態にかかる照明装置の構成を示す斜視図である。
【図２】図２は、実施形態にかかる照明装置の構成を示す上面図である。
【図３】図３は、実施形態にかかる照明装置の固定部の構成を示す斜視図である。
【図４】図４は、実施形態にかかる照明装置の構成を示す分解斜視図である。
【図５】図５は、実施形態にかかる照明装置の灯体の構成を示す分解斜視図である。
【図６】図６は、実施形態にかかる照明装置を示す斜視図である。
【図７】図７は、実施形態にかかる照明装置を室内天井に取り付ける取り付け態様を示す図である。
【図８】図８は、実施形態にかかる照明装置を室内天井に取り付ける取り付け態様を示す図である。
【発明を実施するための形態】
【０００９】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。例えば、以下の実施形態では、照明装置は、建物の天井に設置される、ＬＥＤ（Light  Emitting  Diode）を光源とするユニバーサルダウンライトである。しかし、これに限らず、照明装置は、広く半導体光源一般を光源とするものであってもよい。また、以下の実施形態および各変形例は、矛盾しない範囲内で適宜組みあわせてもよい。
【００１０】
以下の第１の実施態様にかかる照明装置は、灯体、回動枠、保持部、弾性部を具備する。灯体は、発光素子が実装され、回動胴が環装される。回動枠は、天井板の取り付け孔に嵌入される略円筒形状の一方の周端に周縁部を有し、回動胴が回動を可能に嵌入される。保持部は、回動胴が回動枠に嵌入された状態で回動枠へ取り付けられ、回動枠への回動胴の嵌入を保持する。弾性部は、回動枠に取り付けられ、周縁部とともに回動枠、保持部および天井板を弾性力により挟持する。
【００１１】
また、以下の第２の実施態様にかかる照明装置は、保持部は、さらに、台座部、立設部、上部面、押さえ部、脚部を具備する。台座部は、弾性部が載置される。立設部は、台座部に立設する。上部面は、立設部から回動枠の外周側へ延伸し、台座部に載置された弾性部を押さえる。押さえ部は、台座部から回動枠の内周側へ延伸し、回動枠へ取り付けられた際に、回動胴の一方の周端を押さえる。脚部は、台座部の回動枠の略円筒形状の周に沿った両端から立設部が立設する側の反対側へそれぞれ延伸し、互いに対向する面が化粧枠の所定部位と当接する。
【００１２】
また、以下の第３の実施態様にかかる照明装置は、弾性部は、さらに、腕部、保護部を具備する。腕部は、回動枠の外周側へ延伸する。保護部は、腕部の回動枠の外周側へ延伸する先端に取り付けられ、先端を保護する。
【００１３】
［実施形態］
（照明装置の構成）
図１は、実施形態にかかる照明装置の構成を示す斜視図である。また、図２は、実施形態にかかる照明装置の構成を示す上面図である。図１は、実施形態にかかる照明装置１を、光の照射方向の反対側である上方の斜め方向から見た斜視図である。図２は、図１に示す実施形態にかかる照明装置１を、光の照射方向の反対側である上方から見た上面図である。なお、図１および図２に示すＡ方向は、同一方向である。
【００１４】
照明装置１は、例えば建物の天井に埋め込み設置されるダウンライトであり、内部に実装されたＬＥＤなどの半導体発光素子を発光させることにより、図１に示す下方へ光を照射する。照明装置１は、灯体１０、化粧枠３０、回動規制部４０、固定部６０ａ〜６０ｃを有する。
【００１５】
灯体１０は、放熱フィン１１、レンズ枠１５、回動胴２０を有する。放熱フィン１１は、アルミダイカストなどの放熱性に優れた金属により形成される。レンズ枠１５は、放熱フィン１１の下方に組み付けられ、内部にＬＥＤが光源として配置される基板などを収容する。回動胴２０は、アルミダイカストなどの金属により、略円筒状に形成される。なお、照明装置１において、灯体１０の放熱フィン１１側を上方と呼び、回動胴２０側を下方と呼ぶ。回動胴２０は、略円筒状の上端の１カ所に、外周方向へ延伸する突部２１を有する（図２参照）。
【００１６】
化粧枠３０は、例えばアルミダイカストなどの金属などにより形成される。化粧枠３０は、上下両端がそれぞれ略円状に開口する略円筒状である。化粧枠３０は、灯体１０から照射される光の照射方向を、化粧枠３０の円筒形状により調整する。化粧枠３０は、下方に略円環状のフランジ３１を有し、フランジ３１の内周から立設する周側壁３２を有する。化粧枠３０は、嵌入された回動胴２０を化粧枠３０の内周に沿って摺動により回動させる回動枠に該当する。
【００１７】
回動規制部４０は、化粧枠３０の周側壁３２の１カ所に、ネジ４１の螺合により取り付けられる。回動規制部４０は、化粧枠３０に嵌入された回動胴２０の円周上端の上方において化粧枠３０への取り付け位置から化粧枠３０の中心方向へ向かうように延伸する当接部４０ａを有する。灯体１０が化粧枠３０の内周に沿って回動すると、回動胴２０の突部２１が当接部４０ａに当接して、灯体１０の回動を規制する。
【００１８】
化粧枠３０は、周側壁３２に略等間隔で配置される取り付け部３３ａ〜３３ｃを有する。取り付け部３３ａ〜３３ｃには、図１に示すように、固定部６０ａ〜６０ｃそれぞれが取り付けられる。固定部６０ａ〜６０ｃは、後述するバネ脚部６０ａ２−３Ｌ、６０ａ２−３Ｒが、取り付け部３３ａ〜３３ｃが有する所定の嵌入溝に嵌入されることにより、取り付け部３３ａ〜３３ｃそれぞれに取り付けられる。詳しくは後述するが、固定部６０ａ〜６０ｃは、化粧枠３０のフランジ３１とで、照明装置１を取り付ける天井板を挟み込むことにより、照明装置１を天井板に固定する。
【００１９】
図１では、取り付け部３３ａ〜３３ｃそれぞれの腕部６０ａ２−２〜６０ｃ２−２は、異なる態様で示している。取り付け部３３ａ〜３３ｃは、取り付け位置が異なるのみで、同一構成である。腕部６０ａ２−２〜６０ｃ２−２は、後述の図６に示す態様が、外力が掛けられていない状態での初期態様である。
【００２０】
図１に示す腕部６０ａ２−２は、図６に示す態様から、腕部６０ａ２−２にかかる弾性力に抗する外力により、腕部６０ａ２−２をやや上方へ移動させた位置にある。また、図１に示す腕部６０ｂ２−２は、図１に示す腕部６０ａ２−２と比較して、腕部６０ｂ２−２にかかる弾性力に抗する外力により、腕部６０ｂ２−２をさらに上方へ移動させた位置にある。また、図１に示す腕部６０ｃ２−２は、図１に示す腕部６０ｂ２−２と比較して、腕部６０ｃ２−２にかかる弾性力に抗する外力により、腕部６０ｃ２−２を最大限まで上方へ移動させた位置にある。
【００２１】
図１および図２に示すように、固定部６０ａ〜６０ｃは、回動胴２０が嵌装された灯体１０が化粧枠３０に嵌入された状態で、化粧枠３０に取り付けられる。そして、固定部６０ａ〜６０ｃは、回動胴２０の上端を押さえ板部６０ａ１−１Ｌ、６０ａ１−１Ｒ〜６０ｃ１−１Ｌ、６０ｃ１−１Ｒで上方から押さえる。押さえ板部６０ａ１−１Ｌ、６０ａ１−１Ｒ〜６０ｃ１−１Ｌ、６０ｃ１−１Ｒは、化粧枠３０の外周に取り付けられた固定部６０ａ〜６０ｃの後述する台座部６０ａ１−１〜６０ｃ１−１から化粧枠３０の中心方向へ向かって延伸する延伸部分である。そして、押さえ板部６０ａ１−１Ｌ、６０ａ１−１Ｒ〜６０ｃ１−１Ｌ、６０ｃ１−１Ｒは、化粧枠３０に嵌入された灯体１０の回動胴２０の上端周を押さえる。固定部６０ａ〜６０ｃは、回動胴２０が化粧枠３０に対して回動しても、突部２１と当接して回動を規制することはない。
【００２２】
そして、回動胴２０は、押さえ板部６０ａ１−１Ｌ、６０ａ１−１Ｒ〜６０ｃ１−１Ｌ、６０ｃ１−１Ｒによる押さえにより、化粧枠３０に回動可能に取り付けられ、かつ、化粧枠３０から抜け出ることが抑制される。
【００２３】
なお、回動胴２０および化粧枠３０は、化粧枠３０に対する回動胴２０の回動の際の摩擦抵抗および回転トルクを考慮した同一または異なる素材である。例えば、回動胴２０および化粧枠３０の両方が金属であってもよい。または、例えば、回動胴２０および化粧枠３０の両方が、例えばＡＢＳ（Acrylonitrile  Butadiene  Styrene）樹脂などの樹脂であってもよい。または、例えば、回動胴２０および化粧枠３０のいずれか一方が金属で、他方が樹脂であってもよい。または、例えば、回動胴２０および化粧枠３０は、異なる摩擦係数を有する素材で形成されてもよい。
【００２４】
（固定部の構成および化粧枠への取り付け態様）
図３は、実施形態にかかる照明装置の固定部の構成を示す斜視図である。また、図４は、実施形態にかかる照明装置の構成を示す分解斜視図である。図３では、固定部６０ａ〜６０ｃは、同一構成であるので、固定部６０ａを代表させて説明する。また、図４では、説明の簡便のため、灯体１０の図示を省略し、固定部６０ａ〜６０ｃを化粧枠３０へ取り付ける態様のみを示す。しかし、実際は、灯体１０を化粧枠３０へ嵌入させた後に、固定部６０ａ〜６０ｃを化粧枠３０へ取り付け、灯体１０の回動胴２０が化粧枠３０から抜け出さないように押さえる。
【００２５】
図３および図４に示すように、固定部６０ａは、台座部６０ａ１、バネ部６０ａ２、キャップ部６０ａ３を有する。
【００２６】
台座部６０ａ１は、台座面６０ａ１−１の両端付近から延伸する押さえ板部６０ａ１−１Ｌ、６０ａ１−１Ｒを有する。また、台座部６０ａ１は、押さえ板部６０ａ１−１Ｌ、６０ａ１−１Ｒそれぞれから下方へ延伸する台座脚部６０ａ１−２Ｌ、６０ａ１−２Ｒを有する。また、台座部６０ａ１は、台座面６０ａ１−１の一端辺から立設する立設面６０ａ１−３、立設面６０ａ１−３から延伸し、台座面６０ａ１−１と略平行面をなす上部面６０ａ１−４を有する。また、台座部６０ａ１は、台座面６０ａ１−１上に、ネジ６０ａ４を挿通させる挿通孔６０ａ１−５を有する。
【００２７】
上述したように、押さえ板部６０ａ１−１Ｌ、６０ａ１−１Ｒは、固定部６０ａが化粧枠３０の取り付け部３３ａに取り付けられた際に、灯体１０の回動胴２０を上端周から押さえる部分である。また、台座脚部６０ａ１−２Ｌ、６０ａ１−２Ｒは、固定部６０ａが化粧枠３０の取り付け部３３ａに取り付けられる際に、取り付け部３３ａの所定の所定部位と当接して、取り付け部３３ａに対する台座部６０ａ１の取り付け位置を保持する部分である。
【００２８】
上部面６０ａ１−４は、上部面６０ａ１−４の両端付近から、押さえ板部６０ａ１−１Ｌ、６０ａ１−１Ｒが延伸する方向とは反対の方向へ延伸する上部押さえ板部６０ａ１−４Ｌ、６０ａ１−４Ｒを有する。上部面６０ａ１−４、上部押さえ板部６０ａ１−４Ｌ、６０ａ１−４Ｒは、上方からみて略Ｕ字状の形状をなす。この略Ｕ字状の形状の部分は、後述するバネ部６０ａ２の腕部６０ａ２−２が外力により弾性変形されて上方へ最大限押し上げられたときに、腕部６０ａ２−２が当接する部分である。
【００２９】
また、台座部６０ａ１は、側方から見た場合に、台座面６０ａ１−１、立設面６０ａ１−３、上部面６０ａ１−４により略Ｕ字形状をなす。この略Ｕ字形状の部分は、後述するように、バネ部６０ａ２のコイルバネ６０ａ２−１Ｌ、６０ａ２−１Ｒが収容される部分となる。そして、コイルバネ６０ａ２−１Ｌ、６０ａ２−１Ｒは、上部押さえ板部６０ａ１−４Ｌ、６０ａ１−４Ｒにより、上方から押さえられる。
【００３０】
バネ部６０ａ２は、弾性性を有する金属で形成される。バネ部６０ａ２は、コイルバネ６０ａ２−１Ｌ、６０ａ２−１Ｒ、略Ｕ字形の腕部６０ａ２−２、バネ脚部６０ａ２−３Ｌ、６０ａ２−３Ｒを有する。バネ脚部６０ａ２−３Ｌは、コイルバネ６０ａ２−１Ｌのコイルの第１の巻き取り終端から、台座脚部６０ａ１−２Ｌに略平行に下方へ延伸する。
【００３１】
同様に、バネ脚部６０ａ２−３Ｒは、コイルバネ６０ａ２−１Ｒのコイルの第１の巻き取り終端から、台座脚部６０ａ１−２Ｒに略平行に下方へ延伸する。バネ脚部６０ａ２−３Ｌ、６０ａ２−３Ｒは、台座部６０ａ１の押さえ板部６０ａ１−１Ｌ、６０ａ１−１Ｒそれぞれの延伸根元付近を通過して、台座部６０ａ１の上方から下方へ延伸する。
【００３２】
腕部６０ａ２−２は、その略Ｕ字形の第１の端部が、コイルバネ６０ａ２−１Ｌのコイルの第２の巻き取り終端に接続する。また、腕部６０ａ２−２は、その略Ｕ字形の端部の第２の端部が、コイルバネ６０ａ２−１Ｒのコイルの第２の巻き取り終端に接続する。
【００３３】
バネ部６０ａ２は、例えばトーションバネである。バネ部６０ａ２のコイルバネ６０ａ２−１Ｌ、６０ａ２−１Ｒは、腕部６０ａ２−２に弾性力を与える。コイルバネ６０ａ２−１Ｌ、６０ａ２−１Ｒは、バネ脚部６０ａ２−３Ｌ、６０ａ２−３Ｒが化粧枠３０の取り付け部３３ａの所定の嵌入溝に嵌入された状態で、化粧枠３０に対する初期状態として、後述の図６に示す位置に腕部６０ａ２−２を位置させる。
【００３４】
そして、腕部６０ａ２−２は、図６に示す状態から上方へ引き上げられる際には、コイルバネ６０ａ２−１Ｌ、６０ａ２−１Ｒによる弾性力に抗して、引き上げられることになる。腕部６０ａ２−２が上方へ引き上げられた状態を保持するには、コイルバネ６０ａ２−１Ｌ、６０ａ２−１Ｒによる弾性力に対抗する対抗力で腕部６０ａ２−２を保持することを要する。
【００３５】
なお、腕部６０ａ２−２の略Ｕ字形の先端部分は、キャップ部６０ａ３が嵌装され、略Ｕ字の湾曲する先端部分が保護される。キャップ部６０ａ３は、例えばＡＢＳ樹脂などの樹脂により形成される。
【００３６】
図４に示すように、キャップ部６０ａ３が取り付けられたバネ部６０ａ２が、台座部６０ａ１に組み付けられる。そして、組み付けられたバネ部６０ａ２のバネ脚部６０ａ２−３Ｌ、６０ａ２−３Ｒが、化粧枠３０の取り付け部３３ａの所定の嵌入溝に嵌入される。また、台座部６０ａ１の台座脚部６０ａ１−２Ｌ、６０ａ１−２Ｒが、化粧枠３０の取り付け部３３ａの所定の部位と当接する。
【００３７】
そして、台座部６０ａ１は、バネ脚部６０ａ２−３Ｌ、６０ａ２−３Ｒが化粧枠３０の取り付け部３３ａの所定の嵌入溝に嵌入された状態で、台座脚部６０ａ１−２Ｌ、６０ａ１−２Ｒにより、化粧枠３０における固定部６０ａの取り付けを補強する。さらに、台座部６０ａ１は、台座脚部６０ａ１−２Ｌ、６０ａ１−２Ｒにより、化粧枠３０における固定部６０ａの取り付け位置を保持する。台座部６０ａ１は、ネジ６０ａ４を挿通孔６０ａ１−５に挿通させて取り付け部３３ａの所定のネジ孔に螺合させることにより、化粧枠３０に固着されることになる。
【００３８】
なお、台座部６０ａ１を化粧枠３０に固着する方法は、ネジによる螺合に限らず、プッシュピンなどによってもよい。台座部６０ｂ１、台座部６０ｃ１も、台座部６０ａ１と同様にして化粧枠３０に固着される。
【００３９】
固定部６０ａは、上述の構成により、化粧枠３０に簡易に取り付けられる。さらに、固定部６０ａは、回動胴２０が化粧枠３０に対して摺動により回動しても、台座脚部６０ａ１−２Ｌ、６０ａ１−２Ｒの互いに対向する面の少なくとも１つが取り付け部３３ａの所定部位と当接するので、化粧枠３０の定位置を保持することができる。
【００４０】
（灯体の構成）
図５は、実施形態にかかる照明装置の灯体の構成を示す分解斜視図である。
【００４１】
灯体１０は、放熱フィン１１、基板１２、レンズベース１３、演色フィルタ１４、レンズ枠１５、回動胴２０を有する。灯体１０は、図５に示すように、下方から、回動胴２０、レンズ枠１５、演色フィルタ１４、レンズベース１３、基板１２、放熱フィン１１の順序で組み付けられて構成される。
【００４２】
放熱フィン１１は、下方に位置する基板１２に下方へ向けて搭載される光源が発する熱を放熱する。放熱フィン１１は、平置面の略円状の直径の両端に、孔を有する。また、放熱フィン１１は、基板１２に実装される光源へ電源を供給する電気ケーブル（図示せず）が上方へ取り回される。
【００４３】
基板１２は、下方の面に、ＬＥＤ（図示せず）が光源として配置される。基板１２は、上述の電気ケーブルを介して複数のＬＥＤへ電源を供給するとともに、ＬＥＤの発光を制御する制御回路（図示せず）を有する。また、基板１２は、略円状の直径の両端に、切り欠き部を有する。
【００４４】
レンズベース１３は、レンズ１３ａを有する。なお、図５では、１個のレンズに符号１３ａを付与しているが、レンズベース１３に形成されている円錐台形状の各部材はレンズ１３ａに該当する。レンズベース１３は、レンズ１３ａにより、基板１２に配置されたＬＥＤからの光を発散または集束させる。レンズベース１３は、上方から基板１２を収容するとともに、下方から演色フィルタ１４が取り付けられる。レンズベース１３は、演色フィルタ１４を取り付けるための溝部が内周に設けられる。溝部は、レンズベース１３の内周に沿った凹状部と、レンズベース１３の下端から、後述の演色フィルタ１４の突部を凹状部まで案内するガイド溝を有する。
【００４５】
また、レンズベース１３は、略円筒状の本体の直径の両端に、湾曲部を有する。湾曲部は、レンズベース１３の外周では凹部となり、レンズベース１３の内周では凸部となる。レンズベース１３は、上方から基板１２を収容する際には、上述の基板１２の切り欠き部が、レンズベース１３の凸部に位置合せされる。
【００４６】
演色フィルタ１４は、基板１２に配置されるＬＥＤが発する光を透過させる際に、光に色彩を加える。演色フィルタ１４は、略円状の直径の両端に、レンズベース１３に取り付けるための突部を有する。演色フィルタ１４は、突部を上述のガイド溝から進入させ、突部が上述の凹状部まで至った後に所定角度だけ回転されることで、レンズベース１３に取り付けられる。なお、演色フィルタ１４と同様に、演色フィルタ１４に代わる各種部材を取り付けてもよい。
【００４７】
レンズ枠１５は、基板１２が収容され、演色フィルタ１４が取り付けられたレンズベース１３を収容する。レンズ枠１５は、略円状の直径の両端に、内周へ突出する凸部を有する。レンズ枠１５の凸部は、ネジ孔を有する。レンズ枠１５は、基板１２が収容され、演色フィルタ１４が取り付けられたレンズベース１３を収容した状態で、上方から放熱フィン１１が取り付けられる。
【００４８】
レンズ枠１５は、上方からレンズベース１３を収容する際には、上述のレンズベース１３の凹部が、上述のレンズ枠１５の凸部に位置合せされる。放熱フィン１１のレンズ枠１５への取り付けは、放熱フィン１１の孔と、レンズ枠１５のネジ孔を位置合せした上で、放熱フィン１１の孔を挿通させたネジをレンズ枠１５のネジ孔に螺合させることによりおこなわれる。なお、放熱フィン１１のレンズ枠１５への取り付けは、ネジ止めに限らず、ピン留めでもよい。
【００４９】
また、レンズ枠１５は、回動軸口１５ａ、１５ｂを有する。レンズ枠１５は、図５に示すＩ−Ｉ線に沿って回動軸口１５ａ、１５ｂを貫通する回動軸孔を有する。
【００５０】
回動胴２０は、レンズ枠１５を上方から収容する。回動胴２０は、回動軸口２３ａ、２３ｂを有する。回動胴２０は、レンズ枠１５を収容し、レンズ枠１５のＩ−Ｉ線と、回動胴２０のII−II線を軸合せした上で、回動軸口２３ａ、２３ｂからネジまたはピンを挿通させ固定する。このようにして、回動胴２０にレンズ枠１５を含む灯体１０が固定される。または、灯体１０に回動胴２０が環装される。そして、灯体１０が、回動胴２０に対して、II−II線（もしくはＩ−Ｉ線）を回動する際の中心軸となる回動中心線として回動可能となる。
【００５１】
なお、回動胴２０が化粧枠３０の内周において回動する際の中心軸となる回動中心線と、灯体１０が回動胴２０に対して回動する中心軸となる回動中心線であるII−II線（もしくはＩ−Ｉ線）とは、空間におけるねじれの位置関係にある。
【００５２】
また、回動胴２０は、上端の周上に、突部２１を有する。上述したように、回動胴２０の突部２１は、化粧枠３０に取り付けられた回動規制部４０の当接部４０ａと当接することにより、回動胴２０が、化粧枠３０に対して所定の回動角度を超えて回動することを規制する。
【００５３】
（固定部を取り付けた照明装置の外観）
図６は、実施形態にかかる照明装置を示す斜視図である。図６は、照明装置１において、化粧枠３０に灯体１０を取り付け、固定部６０ａ〜６０ｃにより灯体１０を化粧枠３０に固定した固定状態の初期状態を示す。図６に示す状態の照明装置１は、固定部６０ａ〜６０ｃの腕部６０ａ２−２〜６０ｃ２−２の湾曲する先端部は、キャップ部６０ａ３〜６０ｃ３がそれぞれ嵌装される。以後、図６に示す腕部６０ａ２−２〜６０ｃ２−２の状態にある照明装置１の状態を、初期状態と呼ぶ。
【００５４】
そして、図６に示す状態では、固定部６０ａ〜６０ｃの腕部６０ａ２−２〜６０ｃ２−２のキャップ部６０ａ３〜６０ｃ３を取り付けた先端部分が、化粧枠３０のフランジ３１の下方へ回り込んでいる。このため、化粧枠３０は、キャップ部６０ａ３〜６０ｃ３の先端部分が脚となって、配置面と直接に接触しない。
【００５５】
ここで、化粧枠３０の下方面は、照明装置１を天井に取り付けた際に、外部に露出する部分である。一方、キャップ部６０ａ３〜６０ｃ３を含む固定部６０ａ〜６０ｃは、照明装置１を天井に取り付けた際に、外部に露出せず、天井内に隠れる部分である。
【００５６】
ゆえに、図６に示すように、化粧枠３０が配置面と直接に接触しないことにより、例えば照明装置１を天井面へ取り付ける作業を開始する以前に、照明装置１を仮置きした面との接触により、化粧枠３０が傷ついたり、破損したりすることを防止できる。
【００５７】
（照明装置を室内天井に取り付ける取り付け態様）
図７および図８は、実施形態にかかる照明装置を室内天井に取り付ける取り付け態様を示す図である。図８は、図７に示すＢ方向から照明装置１の取り付け態様をみた図である。
【００５８】
照明装置１は、建物の天井板１００に埋め込み設置される場合に、固定部６０ａ〜６０ｃそれぞれの腕部６０ａ２−２〜６０ｃ２−２が化粧枠３０の周側壁３２と略平行となる位置まで引き上げられる。そして、照明装置１は、固定部６０ａ〜６０ｃが化粧枠３０の周側壁３２と略平行となる位置まで引き上げられた状態で、天井板１００の埋め込み孔に挿入される。そして、照明装置１は、フランジ３１が天井に接触するまで押し上げられる。
【００５９】
そして、腕部６０ａ２−２〜６０ｃ２−２は、外力により押圧されなくなることで、図７および図８に示す状態になり、フランジ３１との間で天井板１００を挟持する。これにより、照明装置１は、天井板１００に埋め込み設置される。
【００６０】
（変形例）
以上の実施形態では、照明装置１の化粧枠３０の周側壁３２に均等に配置される固定部６０ａ〜６０ｃのバネ部６０ａ２〜６０ｃ２は、トーションバネであるとした。しかし、これに限らず、板バネを用いてもよい。また、以上の実施形態では、固定部は、固定部６０ａ〜６０ｃの３つとした。しかし、これに限らず、固定部は、化粧枠３０の２カ所あるいは４カ所以上に略等間隔に設けられてもよい。
【００６１】
また、以上の実施形態では、例えば固定部６０ａに設けられる押さえ板部は、押さえ板部６０ａ１−１Ｌ、６０ａ１−１Ｒの２つとした。しかし、これに限らず、台座面６０ａ１−１から延伸する押さえ板部は、１つもしくは３つ以上であってもよい。
【００６２】
（実施形態および変形例による効果）
以上の実施形態および変形例によれば、照明装置１は、化粧枠３０の周側壁３２に略等間隔に固定部６０ａ〜６０ｃが配置される。そして、固定部６０ａ〜６０ｃは、バネ部６０ａ２〜６０ｃ２を支持する台座部６０ａ１〜６０ｃ１に、灯体１０の回動胴２０が化粧枠３０から外れないように押さえる押さえ板部６０ａ１−１Ｌ、６０ａ１−１Ｒ〜６０ｃ１−１Ｌ、６０ｃ１−１Ｒを有する。これにより、照明装置１は、化粧枠３０に嵌装された回動胴２０を均等な力で押さえることができ、灯体１０の化粧枠３０の内周に沿った回動を安定させることができる。また、照明装置１は、部品点数を増やすことなく、灯体１０の回動胴２０が化粧枠３０から外れないように押さえることができる。
【００６３】
また、以上の実施形態および変形例によれば、照明装置１は、固定部６０ａ〜６０ｃのバネ部６０ａ２〜６０ｃ２において、例えば固定部６０ａであれば、２つのコイルバネ６０ａ２−１Ｌ、６０ａ２−１Ｒの間に、ネジ６０ａ４が配置される。そして、照明装置１は、ネジ６０ａ４により固定部６０ａが化粧枠３０へ固定される。これにより、照明装置１は、省スペース、かつ、１つのネジで、固定部６０ａ〜６０ｃを化粧枠３０へ取り付けることができる。かかる構成により、照明装置１の化粧枠３０の周側壁３２に均等に配置される固定部６０ａ〜６０ｃにそれぞれ適用できるので、大型の照明装置１であっても、省スペース、かつ、１つのネジで、固定部６０ａ〜６０ｃを化粧枠３０へ取り付けることができる。
【００６４】
また、以上の実施形態および変形例によれば、照明装置１の初期状態、例えば照明装置１の取り付け施工時において、固定部６０ａ〜６０ｃの腕部６０ａ２−２〜６０ｃ２−２の先端が化粧枠３０に接触しない。よって、照明装置１は、施工作業の際に作業者の指の保護のために設けるキャップ部６０ａ３〜６０ｃ３により、初期状態において、化粧枠３０を傷つけることなく、照明装置１を保護することができる。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６６】
１０  灯体
２０  回動胴
３０  化粧枠
３１  フランジ
３２  周側壁
３３ａ、３３ｂ、３３ｃ  取り付け部
６０ａ、６０ｂ、６０ｃ  固定部
６０ａ１、６０ｂ１、６０ｃ１  台座部
６０ａ１−１、６０ｂ１−１、６０ｃ１−１  台座面
６０ａ１−１Ｌ、６０ａ１−１Ｒ、６０ｂ１−１Ｌ、６０ｂ−１Ｒ、６０ｃ１−１Ｌ、６０ｃ１−１Ｒ  押さえ板部
６０ａ１−２Ｌ、６０ａ１−２Ｒ、６０ｂ１−２Ｌ、６０ｂ１−２Ｒ、６０ｃ１−２Ｌ、６０ｃ１−２Ｌ  台座脚部
６０ａ１−３、６０ｂ１−３、６０ｃ１−３  立設面
６０ａ１−４、６０ｂ１−４、６０ｃ１−４  上部面
６０ａ１−４Ｌ、６０ａ１−４Ｒ、６０ｂ１−４Ｌ、６０ｂ１−４Ｒ、６０ｃ１−４Ｌ、６０ｃ１−４Ｒ  押さえ板部
６０ａ１−５、６０ｂ１−５、６０ｃ１−５  挿通孔
６０ａ２、６０ｂ２、６０ｃ２  バネ部
６０ａ２−１Ｌ、６０ａ２−１Ｒ、６０ｂ２−１Ｌ、６０ｂ２−１Ｒ、６０ｃ２−１Ｌ、６０ｃ２−１Ｒ  コイルバネ
６０ａ２−２、６０ｂ２−２、６０ｃ２−２  腕部
６０ａ２−３Ｌ、６０ａ２−３Ｒ、６０ｂ２−３Ｌ、６０ｂ２−３Ｒ、６０ｃ２−３Ｌ、６０ｃ２−３Ｒ  バネ脚部
６０ａ３、６０ｂ３、６０ｃ３  キャップ部
６０ａ４、６０ｂ４、６０ｃ４  ネジ
【図１】
2015050171.tif 000003
【図２】
2015050171.tif 000004
【図３】
2015050171.tif 000005
【図４】
2015050171.tif 000006
【図５】
2015050171.tif 000007
【図６】
2015050171.tif 000008
【図７】
2015050171.tif 000009
【図８】
2015050171.tif 000010